(57)【要約】  ＬＴＥ基地局１０−１は、ハンドオーバを実行するとき、ハンドオーバ先の他ＬＴＥ基地局に対して、Ｘ２コネクションの確立要求であるＳＣＴＰ接続要求メッセージを送信する。
2010123121.tif 000002
【特許請求の範囲】
【請求項１】
上位ネットワークとの間の論理的な伝送路である第１コネクションと、他の無線基地局との間の論理的な伝送路である第２コネクションとを確立することができる無線基地局であって、
ハンドオーバ先又はハンドオーバ元である他の無線基地局に対して、前記第２コネクションを確立するための要求メッセージを送信する送信部を備え、
前記無線基地局がハンドオーバを実行するとき、前記送信部は、前記要求メッセージを送信する無線基地局。
【請求項２】
前記送信部は、前記ハンドオーバ先又はハンドオーバ元である他の無線基地局との間に、前記第２コネクションが確立されていない場合に、前記要求メッセージを送信する請求項１に記載の無線基地局。
【請求項３】
前記他の無線基地局の情報を保持する保持部を備え、
前記送信部は、前記保持部に保持された前記他の無線基地局の情報に基づいて、前記ハンドオーバ先又はハンドオーバ元である他の無線基地局との間に、前記第２コネクションが確立されているか否かを判定する請求項２に記載の無線基地局。
【請求項４】
前記他の無線基地局の情報は、前記他の無線基地局の識別情報を含む請求項３に記載の無線基地局。
【請求項５】
前記送信部は、前記無線端末のハンドオーバが完了した場合に、前記要求メッセージを送信する請求項１乃至４の何れかに記載の無線基地局。
【請求項６】
過去に自無線基地局がハンドオーバ元となった場合のハンドオーバにおける、ハンドオーバ先の他の無線基地局の識別情報と、自無線基地局と前記ハンドオーバ先の他の基地無線局との間で前記第２コネクションが確立されているか否かを示す確立情報とを記憶する記憶部を備える請求項１乃至４の何れかに記載の無線基地局。
【請求項７】
上位ネットワークとの間の論理的な伝送路である第１コネクションと、他の無線基地局との間の論理的な伝送路である第２コネクションとを確立することができる無線基地局におけるコネクション確立制御方法であって、
前記無線基地局が、ハンドオーバを実行するとき、ハンドオーバ先又はハンドオーバ元である他の無線基地局に対して、前記第２コネクションを確立するための要求メッセージを送信するステップと
を備えるコネクション確立制御方法。
【請求項８】
上位ネットワークとの間の論理的な伝送路である第１コネクションと、他の無線基地局との間の論理的な伝送路である第２コネクションとを確立することができる無線基地局であって、
前記他の無線基地局が関わるハンドオーバの回数に基づいて、前記他の無線基地局との間の前記第２コネクションの解放、及び／又は、再確立の制御を行うコネクション変更部を備える無線基地局。
【請求項９】
前記ハンドオーバ回数は、自無線基地局と前記他の無線基地局との間のハンドオーバの回数、及び／又は、自無線基地局がハンドオーバ先となる無線端末における、過去のハンドオーバの回数である請求項８に記載の無線基地局。
【請求項１０】
前記コネクション変更部は、前記ハンドオーバの回数に応じて定められる優先順位が下位の第１の所定数の前記他の無線基地局との間の前記第２コネクションを解放する請求項８又は９に記載の無線基地局。
【請求項１１】
前記コネクション変更部は、自無線基地局と前記他の無線基地局との間のネットワークの負荷が第１の所定値以上、自無線基地局の負荷が第２の所定値以上、前記他の無線基地局の負荷が第３の所定値以上の少なくとも何れかである場合に、前記第２コネクションを解放する請求項１０に記載の無線基地局。
【請求項１２】
前記コネクション変更部は、前記ハンドオーバの回数に応じて定められる優先順位が上位の第２の所定数の前記他の無線基地局との間の前記第２コネクションを再確立する請求項８に記載の無線基地局。
【請求項１３】
前記コネクション変更部は、自無線基地局と前記他の無線基地局との間のネットワークの負荷が第４の所定値以下、自無線基地局の負荷が第５の所定値以下、前記他の無線基地局の負荷が第６の所定値以下の少なくとも何れかである場合に、前記第２コネクションを再確立する請求項１２に記載の無線基地局。
【請求項１４】
上位ネットワークとの間の論理的な伝送路である第１コネクションと、他の無線基地局との間の論理的な伝送路である第２コネクションとを確立することができる無線基地局におけるコネクション確立制御方法であって、
前記無線基地局が、前記他の無線基地局が関わるハンドオーバの回数を取得するステップと、
前記無線基地局が、取得された前記ハンドオーバの回数に基づいて、前記他の無線基地局との間の前記第２コネクションの解放、及び／又は、再確立の制御を行うステップと
を備えるコネクション確立制御方法。
【発明の詳細な説明】
【技術分野】
【０００１】
本発明は、上位ネットワークとの間の論理的な伝送路である第１コネクションと、他の無線基地局との間の論理的な伝送路である第２コネクションとを確立する無線基地局、及び、当該無線基地局におけるコネクション確立制御方法に関する。
【背景技術】
【０００２】
３ＧＰＰ（Third Generation Partnership Project）において、現在、規格策定中のＬＴＥ（Long Term Evolution）等の無線通信システムでは、無線基地局（以下、「ＬＴＥ基地局」と称する）とコアネットワークとの間の論理的な伝送路であるＳ１コネクションに加えて、迅速なハンドオーバや、コアネットワークにおける処理負担軽減等を実現すべく、無線基地局間の論理的な伝送路であるＸ２コネクションが必要となる。【０００３】
ＬＴＥ基地局は、Ｘ２コネクションを確立するために、隣接する他のＬＴＥ基地局の情報を取得し、当該他のＬＴＥ基地局の情報の一覧としての隣接基地局リスト（以下、「ネイバーリスト」と称する）を保持する。隣接する他のＬＴＥ基地局とは、ＬＴＥ基地局からの距離が近い他のＬＴＥ基地局を指す。ＬＴＥ基地局が、ネイバーリストを保持することによって、Ｘ２コネクションの確立や、ＬＴＥ基地局間の負荷分散、保守作業時の規制等の制御が実現可能となる。【０００４】
ＬＴＥ基地局は、無線端末からのメジャメントレポート（Measurement Report）に基づいて、当該無線端末にハンドオーバを要求することができる。メジャメントレポートには、無線端末がブロードキャストチャネル（ＢＣＨ）を介して受信した信号（ＢＣＨ信号）の送信元であるＬＴＥ基地局のＩＤや、当該信号の電波強度の情報等が含まれている。ＬＴＥ基地局は、メジャメントレポートに含まれるＬＴＥ基地局のＩＤや電波強度の情報に基づいて、ハンドオーバ先となるＬＴＥ基地局を特定し、無線端末に対して、適切なタイミングでハンドオーバの指示を行うことができる。【０００５】
ＬＴＥ基地局が、隣接する他のＬＴＥ基地局の情報を取得する際の手法として、ＡＮＲ（Automatic Neighbour Relation Function）の採用が考えられている。ＡＮＲは、無線端末から定期的に、あるいは、イベントの度に発生するメジャメントレポートを受信する方式である（例えば、非特許文献１参照）。【０００６】
また、ＬＴＥの無線通信システムでは、パケットロスの少ないハンドオーバを実現するために、データフォワーディング機能が備えられている。データフォワーディング機能とは、ハンドオーバの直前において、ＬＴＥ基地局が、無線端末に対して送信しきれなかったデータを、Ｘ２コネクションを介してハンドオーバ先のＬＴＥ基地局へ転送する機能である。ハンドオーバ先のＬＴＥ基地局は、Ｘ２コネクションを介して受信したデータを、ハンドオーバによって新たに接続した無線端末に対して、無線チャネルを介して送信する。これによりハンドオーバ時のパケットロスを防ぐことができる。【０００７】
ＬＴＥの無線通信システムでは、上述したＸ２コネクションを介してデータフォワーディングが実行されるハンドオーバ（以下、「Ｘ２ハンドオーバ」と称する）と、Ｓ１コネクションを介してデータフォワーディングが実行されるハンドオーバ（以下、「Ｓ１ハンドオーバ」と称する）とが規定されている。Ｘ２ハンドオーバと、Ｓ１ハンドオーバとの何れが用いられるかについては、一般に、Ｘ２コネクションが確立されているか否かに依存する。すなわち、Ｘ２コネクションが確立されているＬＴＥ基地局間では、Ｘ２ハンドオーバが実行される。但し、ハンドオーバの選択基準は、ベンダーによって適宜設計される事項である。【０００８】
Ｘ２コネクションの確立は、保守者が事前に設定する場合と、ＯＡＭ（Operation and Maintenance）によって設定される場合とがある。何れの場合も、Ｘ２コネクションの確立は、ＬＴＥ基地局が起動する際に実行される。
【先行技術文献】
【非特許文献】
【０００９】
【非特許文献１】"3GPP TS 36.300 V8.5.0 (2008-05) "、［ｏｎｌｉｎｅ］、［平成２１年４月１３日検索］、＜ＵＲＬ：http://www.arib.or.jp/IMT-2000/V700Sep08/5_Appendix/Rel8/36/36300-850.pdf＞
【発明の概要】
【００１０】
しかしながら、Ｘ２コネクションの確立が、保守者によって事前に設定されたり、ＯＡＭによって設定され、ＬＴＥ基地局が起動する際に実行される場合、Ｘ２コネクションは、ＬＴＥ基地局の稼働中には固定的に確立されたままであり、ハンドオーバの実績は考慮されない。このため、ハンドオーバに使用されないＸ２コネクション、換言すれば、無駄なＸ２コネクションが確立されてしまう可能性がある。
【００１１】
一方、ＬＴＥ基地局の稼働中に、Ｘ２コネクションを随時更新すべく、ＬＴＥ基地局が、メジャメントレポートに含まれるＩＤによって特定される他のＬＴＥ基地局との間でＸ２コネクションを確立する手法も考えられる。しかし、このようなメジャメントレポートに基づく手法では、ＬＴＥ基地局は、あくまでもハンドオーバ先となる可能性のある他のＬＴＥ基地局との間でＸ２コネクションを確立するに過ぎず、ハンドオーバの実績は考慮されない。したがって、メジャメントレポートに基づく手法においても、無駄なＸ２コネクションが確立されてしまう可能性がある。
【００１２】
上記問題点に鑑み、本発明は、他の無線基地局との間で適切なコネクションを確立することが可能な無線基地局、及び、コネクション確立制御方法を提供することを目的とする。
【００１３】
上述した課題を解決するために、本発明は以下のような特徴を有している。まず、本発明の第１の特徴は、上位ネットワークとの間の論理的な伝送路である第１コネクション（Ｓ１コネクション）と、他の無線基地局との間の論理的な伝送路である第２コネクション（Ｘ２コネクション）とを確立することができる無線基地局（ＬＴＥ基地局１０−１乃至１０−３）であって、ハンドオーバ先又はハンドオーバ元である他の無線基地局に対して、前記第２コネクションを確立するための要求メッセージを送信する送信部（コネクション確立処理実行部１５４）を備え、前記無線基地局がハンドオーバを実行するとき、前記送信部は、前記要求メッセージを送信することを要旨とする。
【００１４】
このような無線基地局は、ハンドオーバを実行するときに、ハンドオーバ先又はハンドオーバ元の無線基地局に対して、第２コネクションを確立するための要求メッセージを送信する。したがって、ハンドオーバの実績を考慮した第２コネクションの確立が可能となり、他の無線基地局との間で無駄なコネクションが確立されてしまうことが防止される。
【００１５】
本発明の第２の特徴は、本発明の第１の特徴に係り、前記送信部は、前記ハンドオーバ先又はハンドオーバ元である他の無線基地局との間に、前記第２コネクションが確立されていない場合に、前記要求メッセージを送信することを要旨とする。
【００１６】
本発明の第３の特徴は、本発明の第２の特徴に係り、前記他の無線基地局の情報を保持する保持部（記憶部１０３）を備え、前記送信部は、前記保持部に保持された前記他の無線基地局の情報に基づいて、前記ハンドオーバ先又はハンドオーバ元である他の無線基地局との間に、前記第２コネクションが確立されているか否かを判定することを要旨とする。
【００１７】
本発明の第４の特徴は、本発明の第３の特徴に係り、前記他の無線基地局の情報は、前記他の無線基地局の識別情報を含むことを要旨とする。
【００１８】
本発明の第５の特徴は、本発明の第１乃至第４の特徴の何れかに係り、前記送信部は、前記無線端末のハンドオーバが完了した場合に、前記要求メッセージを送信することを要旨とする。
【００１９】
本発明の第６の特徴は、本発明の第１乃至第４の特徴の何れかに係り、過去に自無線基地局がハンドオーバ元となった場合のハンドオーバにおける、ハンドオーバ先の他の無線基地局の識別情報と、自無線基地局と前記ハンドオーバ先の他の基地無線局との間で前記第２コネクションが確立されているか否かを示す確立情報とを記憶する記憶部（記憶部１０３）を備えることを要旨とする。
【００２０】
本発明の第７の特徴は、上位ネットワークとの間の論理的な伝送路である第１コネクションと、他の無線基地局との間の論理的な伝送路である第２コネクションとを確立することができる無線基地局におけるコネクション確立制御方法であって、前記無線基地局が、ハンドオーバを実行するとき、ハンドオーバ先又はハンドオーバ元である他の無線基地局に対して、前記第２コネクションを確立するための要求メッセージを送信するステップとを備えることを要旨とする。
【００２１】
本発明の第８の特徴は、上位ネットワークとの間の論理的な伝送路である第１コネクション（Ｓ１コネクション）と、他の無線基地局との間の論理的な伝送路である第２コネクション（Ｘ２コネクション）とを確立することができる無線基地局（ＬＴＥ基地局１０−１乃至１０−３）であって、前記他の無線基地局が関わるハンドオーバの回数に基づいて、前記他の無線基地局との間の前記第２コネクションの解放、及び／又は、再確立の制御を行うコネクション変更部（コネクション変更部１５８）を備えることを要旨とする。
【００２２】
このような無線基地局は、他の無線基地局が関わるハンドオーバの回数に基づいて、当該他の無線基地局との間の第２コネクションの解放や再確立を行う。したがって、無線基地局は、他の無線基地局が関わるハンドオーバ回数が少ない場合には、当該他の無線基地局との間の第２コネクションを解放し、他の無線基地局が関わるハンドオーバ回数が多い場合には、当該他の無線基地局との間の第２コネクションを再確立する等、他の無線基地局との間で適切なコネクションを確立することが可能となる。
【００２３】
本発明の第９の特徴は、本発明の第８の特徴に係り、前記ハンドオーバ回数は、自無線基地局と前記他の無線基地局との間のハンドオーバの回数、及び／又は、自無線基地局がハンドオーバ先となる無線端末における、過去のハンドオーバの回数であることを要旨とする。
【００２４】
本発明の第１０の特徴は、本発明の第８又は第９の特徴に係り、前記コネクション変更部は、前記ハンドオーバの回数に応じて定められる優先順位が下位の第１の所定数の前記他の無線基地局との間の前記第２コネクションを解放することを要旨とする。
【００２５】
本発明の第１１の特徴は、本発明の第１０の特徴に係り、前記コネクション変更部は、自無線基地局と前記他の無線基地局との間のネットワークの負荷が第１の所定値以上、自無線基地局の負荷が第２の所定値以上、前記他の無線基地局の負荷が第３の所定値以上の少なくとも何れかである場合に、前記第２コネクションを解放することを要旨とする。
【００２６】
本発明の第１２の特徴は、本発明の第８の特徴に係り、前記コネクション変更部は、前記ハンドオーバの回数に応じて定められる優先順位が上位の第２の所定数の前記他の無線基地局との間の前記第２コネクションを再確立することを要旨とする。
【００２７】
本発明の第１３の特徴は、本発明の第１２の特徴に係り、前記コネクション変更部は、自無線基地局と前記他の無線基地局との間のネットワークの負荷が第４の所定値以下、自無線基地局の負荷が第５の所定値以下、前記他の無線基地局の負荷が第６の所定値以下の少なくとも何れかである場合に、前記第２コネクションを再確立することを要旨とする。
【００２８】
本発明の第１４の特徴は、上位ネットワークとの間の論理的な伝送路である第１コネクションと、他の無線基地局との間の論理的な伝送路である第２コネクションとを確立することができる無線基地局におけるコネクション確立制御方法であって、前記無線基地局が、前記他の無線基地局が関わるハンドオーバの回数を取得するステップと、前記無線基地局が、取得された前記ハンドオーバの回数に基づいて、前記他の無線基地局との間の前記第２コネクションの解放、及び／又は、再確立の制御を行うステップとを備えることを要旨とする。
【００２９】
本発明によれば、他の無線基地局との間で適切なコネクションを確立することが可能となる。
【図面の簡単な説明】
【００３０】
【図１】図１は、本発明の実施形態に係る無線通信システムの全体概略構成図である。
【図２】図２は、本発明の実施形態に係る無線通信システムにおけるＳ１コネクションの確立状態を示す図である。
【図３】図３は、本発明の実施形態に係る、ＬＴＥ基地局の構成図である。
【図４】図４は、本発明の実施形態に係る、無線端末からの第１のメジャメントレポートを示す図である。
【図５】図５は、本発明の実施形態に係る、無線端末からの第２のメジャメントレポートを示す図である。
【図６】図６は、本発明の実施形態に係るネイバーリストの一例を示す図である。
【図７】図７は、本発明の実施形態に係る無線通信システムにおけるＸ２コネクションの第１の確立状態を示す図である。
【図８】図８は、本発明の実施形態に係る隣接基地局優先順位テーブルの一例を示す図である。
【図９】図９は、本発明の実施形態に係る無線通信システムにおけるＸ２コネクションの第２の確立状態を示す図である。
【図１０】図１０は、本発明の実施形態に係るＬＴＥ基地局によるＸ２コネクション確立制御の動作を示すフローチャートである。
【図１１】図１１は、本発明の実施形態に係るＬＴＥ基地局によるハンドオーバ回数の取得の動作を示すフローチャートである。
【図１２】図１２は、本発明の実施形態に係るＬＴＥ基地局によるＸ２コネクション解放制御の動作を示すフローチャートである。
【図１３】図１３は、本発明の実施形態に係るＬＴＥ基地局によるＸ２コネクション再確立制御の動作を示すフローチャートである。
【発明を実施するための形態】
【００３１】
次に、図面を参照して、本発明の実施形態を説明する。具体的には、（１）無線通信システムの概略構成、（２）ＬＴＥ基地局の構成、（３）ＬＴＥ基地局の動作、（４）作用・効果、（５）その他の実施形態について説明する。以下の実施形態における図面の記載において、同一又は類似の部分には同一又は類似の符号を付している。
【００３２】
（１）無線通信システムの概略構成
図１は、本実施形態に係る無線通信システムの概略構成図である。本実施形態では、無線通信システム１は、ＬＴＥ技術を用いて構成されている。図１に示す無線通信システム１は、無線基地局（ＬＴＥ基地局）１０−１、１０−２、１０−３と、上位ネットワークとしてのコアネットワークに設けられた転送制御装置であるＭＭＥ（Mobile Management Entity）／ＳＧＷ（Serving Gateway）２０−１、２０−２と、バックボーンネットワーク３０と、無線端末４０とを含む。
【００３３】
初期状態においては、ＬＴＥ基地局１０−１乃至１０−３と、ＭＭＥ／ＳＧＷ２０−１及び２０−２との間には、バックボーンネットワーク３０を介して、トランスポート層の論理的な伝送路であるＳ１コネクションのみが確立されている。
【００３４】
図２は、無線通信システム１における初期状態のＳ１コネクションの確立状態を示す図である。図２において、ＬＴＥ基地局１０−１とＭＭＥ／ＳＧＷ２０−１との間には、Ｓ１コネクション＃１が確立されている。また、ＬＴＥ基地局１０−２とＭＭＥ／ＳＧＷ２０−１との間には、Ｓ１コネクション＃２が確立され、ＬＴＥ基地局１０−２とＭＭＥ／ＳＧＷ２０−２との間には、Ｓ１コネクション＃３が確立されている。また、ＬＴＥ基地局１０−３とＭＭＥ／ＳＧＷ２０−２との間には、Ｓ１コネクション＃４が確立されている。なお、更に、ＬＴＥ基地局１０−１とＭＭＥ／ＳＧＷ２０−２との間にＳ１コネクションが確立され、ＬＴＥ基地局１０−３とＭＭＥ／ＳＧＷ２０−１との間にＳ１コネクションが確立されていてもよい。
【００３５】
ＬＴＥ基地局１０−１乃至１０−３と、無線端末４０とは、無線通信区間を介して無線通信を行う。ＬＴＥにおいて、ＬＴＥ基地局１０−１乃至１０−３と、無線端末４０との間の通信方式は、Ｅ−ＵＴＲＡＮ（Evolved UMTS Terrestrial Radio Access Network）と称される。
【００３６】
（２）ＬＴＥ基地局の構成
図３は、ＬＴＥ基地局の構成を示す図である。図２に示すＬＴＥ基地局１０−１は、制御部１０２、記憶部１０３、Ｉ／Ｆ部１０４、無線通信部１０６、アンテナ１０８を含む。なお、ＬＴＥ基地局１０−２及び１０−３も、ＬＴＥ基地局１０−１と同様の構成を有する。
【００３７】
制御部１０２は、例えばＣＰＵによって構成され、自ＬＴＥ基地局であるＬＴＥ基地局１０−１が具備する各種機能を制御する。記憶部１０３は、例えばメモリによって構成され、ＬＴＥ基地局１０−１における制御などに用いられる各種情報を記憶する。
【００３８】
Ｉ／Ｆ部１０４は、バックボーンネットワーク３０に接続されている。無線通信部１０６は、ＲＦ回路、ベースバンド回路等を含み、変調及び復調、符号化及び復号等を行い、アンテナ１０８を介して、無線端末４０との間で、無線信号の送信及び受信を行う。
【００３９】
制御部１０２は、ハンドオーバ契機検出部１５２、コネクション確立処理実行部１５４、ハンドオーバ回数取得部１５６、コネクション変更部１５８を含む。
【００４０】
無線端末４０は、周辺のＬＴＥ基地局からのブロードキャストコントロールチャネル（ＢＣＨ）信号を受信する。このＢＣＨ信号には、送信元のＬＴＥ基地局の識別情報である、物理ＩＤ（Ｐｈｙ−ＣＩＤ）と、グローバルＩＤ（Ｇｌｏｂａｌ−ＣＩＤ）とが含まれている。次に、無線端末４０は、ＢＣＨ信号の電波強度を測定する。更に、無線端末４０は、Ｐｈｙ−ＣＩＤと電波強度とを含んだメジャメントレポートを生成して送信する。図４は、無線端末４０からの第１のメジャメントレポートを示す図である。
【００４１】
ハンドオーバ契機検出部１５２は、ＬＴＥ基地局１０−１と無線通信を行っている無線端末４０からの第１のメジャメントレポートを、アンテナ１０８及び無線通信部１０６を介して受信する。
【００４２】
次に、ハンドオーバ契機検出部１５２は、無線通信部１０６及びアンテナ１０８を介して、無線端末４０に対して、第１のメジャメントレポートに含まれる、他のＬＴＥ基地局のＰｈｙ−ＣＩＤに対応するＧｌｏｂａｌ−ＣＩＤの要求メッセージを送信する。このＧｌｏｂａｌ−ＣＩＤ要求メッセージには、他ＬＴＥ基地局のＰｈｙ−ＣＩＤが含まれている。
【００４３】
無線端末４０は、Ｇｌｏｂａｌ−ＣＩＤ要求メッセージを受信すると、当該Ｇｌｏｂａｌ−ＣＩＤ要求メッセージに含まれる、他ＬＴＥ基地局のＰｈｙ−ＣＩＤに基づいて、他ＬＴＥ基地局のＧｌｏｂａｌ−ＣＩＤを特定する。更に、無線端末４０は、ＬＴＥ基地局１０−１に対して、他ＬＴＥ基地局のＧｌｏｂａｌ−ＣＩＤを送信する。図５は、無線端末４０からの第２のメジャメントレポートであるＧｌｏｂａｌ−ＣＩＤを示す図である。
【００４４】
ハンドオーバ契機検出部１５２は、無線端末４０からの他ＬＴＥ基地局のＧｌｏｂａｌ−ＣＩＤを、アンテナ１０８及び無線通信部１０６を介して受信する。
【００４５】
次に、ハンドオーバ契機検出部１５２は、第１のメジャメントレポートに含まれる、ＬＴＥ基地局１０−１に対応する電波強度、換言すれば、ＬＴＥ基地局１０−１が送信したＢＣＨ信号の無線端末４０における電波強度が第１の閾値以下であるか否かを判定する。更に、ハンドオーバ契機検出部１５２は、第１のメジャメントレポートに含まれる、自ＬＴＥ基地局であるＬＴＥ基地局１０−１以外のＬＴＥ基地局（他ＬＴＥ基地局）の何れかに対応する電波強度が第２の閾値以上であるか否かを判定する。
【００４６】
ＬＴＥ基地局１０−１に対応する電波強度が第１の閾値以下であって、且つ、他ＬＴＥ基地局に対応する電波強度が第２の閾値以上である場合には、ハンドオーバ契機検出部１５２は、無線端末４０がＬＴＥ基地局１０−１から他ＬＴＥ基地局へハンドオーバを行う契機に至ったと判定する。
【００４７】
無線端末４０がハンドオーバの契機に至った場合、制御部１０２は、ＬＴＥ基地局１０−１から他ＬＴＥ基地局へのハンドオーバを実行するためのＲＲＣ  Ｃｏｎｎｅｃｔｉｏｎ  Ｒｅｃｏｎｆｉｇｕｒａｔｉｏｎ  Ｍｅｓｓａｇｅを、無線通信部１０６及びアンテナ１０８を介して、無線端末４０へ送信する。このＲＲＣ  Ｃｏｎｎｅｃｔｉｏｎ  Ｒｅｃｏｎｆｉｇｕｒａｔｉｏｎ  Ｍｅｓｓａｇｅには、ハンドオーバ先である他ＬＴＥ基地局のＧｌｏｂａｌ−ＣＩＤが含まれている。無線端末４０は、ＲＲＣ  Ｃｏｎｎｅｃｔｉｏｎ  Ｒｅｃｏｎｆｉｇｕｒａｔｉｏｎ  Ｍｅｓｓａｇｅを受信すると、当該ＲＲＣ  Ｃｏｎｎｅｃｔｉｏｎ  Ｒｅｃｏｎｆｉｇｕｒａｔｉｏｎ  Ｍｅｓｓａｇｅに基づいて、当該無線端末４０におけるハンドオーバ処理（ＬＴＥ基地局１０−１から他ＬＴＥ基地局へのハンドオーバ処理）を実行する。
【００４８】
次に、コネクション確立処理実行部１５４は、ＬＴＥ基地局１０−１から他ＬＴＥ基地局へのハンドオーバの際に、トランスポート層の論理的な伝送路であるＸ２コネクションを介してデータフォワーディングが実行されるハンドオーバ（Ｘ２ハンドオーバ）が可能であるか否かを判定する。
【００４９】
具体的には、コネクション確立処理実行部１５４は、記憶部１０３に記憶されているネイバーリスト（neighbor list）を読み出す。図６は、ネイバーリストの一例を示す図である。図６に示すネイバーリストは、過去にＬＴＥ基地局１０−１がハンドオーバ元となった場合のハンドオーバにおける、ハンドオーバ先の他ＬＴＥ基地局のＧｌｏｂａｌ−ＣＩＤと、ＬＴＥ基地局１０−１とハンドオーバ先の他ＬＴＥ基地局との間でＸ２コネクションが確立されているか否かを示すＸ２コネクション確立情報とを含んでいる。
【００５０】
コネクション確立処理実行部１５４は、ネイバーリストに、ハンドオーバ先の他ＬＴＥ基地局のＧｌｏｂａｌ−ＣＩＤが含まれており、且つ、ハンドオーバ先の他ＬＴＥ基地局のＧｌｏｂａｌ−ＣＩＤに対応するＸ２コネクション確立情報が確立済みである場合には、ＬＴＥ基地局１０−１とハンドオーバ先の他ＬＴＥ基地局との間でＸ２コネクションが確立されており、Ｘ２ハンドオーバが可能であると判定する。
【００５１】
一方、コネクション確立処理実行部１５４は、ネイバーリストに、ハンドオーバ先の他ＬＴＥ基地局のＧｌｏｂａｌ−ＣＩＤが含まれていない場合には、ＬＴＥ基地局１０−１とハンドオーバ先の他ＬＴＥ基地局との間でＸ２コネクションが確立されておらず、Ｘ２ハンドオーバが不可能であると判定する。
【００５２】
また、コネクション確立処理実行部１５４は、ネイバーリストに、ハンドオーバ先の他ＬＴＥ基地局のＧｌｏｂａｌ−ＣＩＤが含まれているが、ハンドオーバ先の他ＬＴＥ基地局のＧｌｏｂａｌ−ＣＩＤに対応するＸ２コネクション確立情報が未確立である場合には、ＬＴＥ基地局１０−１とハンドオーバ先の他ＬＴＥ基地局との間でＸ２コネクションが確立されておらず、Ｘ２ハンドオーバが不可能であると判定する。
【００５３】
ＬＴＥ基地局１０−１とハンドオーバ先の他ＬＴＥ基地局との間でＸ２コネクションが確立されている場合には、制御部１０２は、Ｘ２コネクションを介してデータフォワーディングを実行するＸ２ハンドオーバを行う。具体的には、制御部１０２は、無線端末４０に対して送信しきれなかったデータを、Ｘ２コネクションを介して、ハンドオーバ先の他ＬＴＥ基地局へ転送する。
【００５４】
一方、ＬＴＥ基地局１０−１とハンドオーバ先の他ＬＴＥ基地局との間でＸ２コネクションが確立されてない場合には、コネクション確立処理実行部１５４は、ネイバーリストに、ハンドオーバ先の他ＬＴＥ基地局のＧｌｏｂａｌ−ＣＩＤを追加するとともに、対応するＸ２コネクション確立情報を未確立とする。
【００５５】
更に、制御部１０２は、Ｓ１ハンドオーバを行い、Ｓ１コネクションを介して、データフォワーディングを実行し、無線端末４０に対して送信しきれなかったデータを、Ｉ／Ｆ部１０４と、Ｓ１コネクションとを介してハンドオーバ先の他ＬＴＥ基地局へ転送する。
【００５６】
上述したＸ２ハンドオーバやＳ１ハンドオーバの後、コネクション確立処理実行部１５４は、ネイバーリストに、ＬＴＥ基地局１０−１との間でＸ２コネクションが確立されていない他ＬＴＥ基地局が存在するか否かを判定する。具体的には、コネクション確立処理実行部１５４は、Ｘ２コネクション確立情報が未確立となっている場合、当該Ｘ２コネクション確立情報に対応するＧｌｏｂａｌ−ＣＩＤによって特定される他ＬＴＥ基地局を、ＬＴＥ基地局１０−１との間でＸ２コネクションが確立されていない他ＬＴＥ基地局であると判定する。
【００５７】
ネイバーリストに、ＬＴＥ基地局１０−１との間でＸ２コネクションが確立されていない他ＬＴＥ基地局が存在する場合、コネクション確立処理実行部１５４は、Ｘ２コネクションの確立要求である、ＳＣＴＰ（Stream Control Transmission Protocol）接続要求メッセージを生成する。更に、コネクション確立処理実行部１５４は、ＳＣＴＰ接続要求メッセージを、Ｉ／Ｆ部１０４及びバックボーンネットワーク３０を介して、ＬＴＥ基地局１０−１との間でＸ２コネクションが確立されていない他ＬＴＥ基地局へ送信する。
【００５８】
その後は、ＬＴＥ基地局１０−１と、ＳＣＴＰ接続要求メッセージを受信した他ＬＴＥ基地局との間で、Ｘ２コネクションが確立される。
【００５９】
更に、コネクション確立処理実行部１５４は、ネイバーリストにおける、ＳＣＴＰ接続要求メッセージの送信先である他ＬＴＥ基地局のＧｌｏｂａｌ−ＣＩＤに対応するＸ２コネクション確立情報を、未確立から確立済みに更新する。
【００６０】
このようにして、初期状態では、Ｓ１コネクションのみが確立されていた状態から、その後のハンドオーバの契機に応じて、ＬＴＥ基地局間にＸ２コネクションが確立される。
【００６１】
図７は、無線通信システム１におけるＸ２コネクションの確立状態を示す図である。図７に示すように、ＬＴＥ基地局１０−１とＬＴＥ基地局１０−２との間でハンドオーバの契機に至ることによって、ＬＴＥ基地局１０−１とＬＴＥ基地局１０−２との間には、Ｘ２コネクション＃１が確立される。また、ＬＴＥ基地局１０−１とＬＴＥ基地局１０−３との間でハンドオーバの契機に至ることによって、ＬＴＥ基地局１０−１とＬＴＥ基地局１０−３との間には、Ｘ２コネクション＃２が確立される。更に、ＬＴＥ基地局１０−２とＬＴＥ基地局１０−３との間でハンドオーバの契機に至ることによって、ＬＴＥ基地局１０−２とＬＴＥ基地局１０−３との間には、Ｘ２コネクション＃３が確立される。
【００６２】
再び、図３に戻って説明する。ハンドオーバ回数取得部１５６は、他ＬＴＥ基地局に関わるハンドオーバの回数を取得する。
【００６３】
具体的には、ハンドオーバ回数取得部１５６は、他ＬＴＥ基地局がハンドオーバ元となり、ＬＴＥ基地局１０−１がハンドオーバ先となるハンドオーバ時に、無線端末４０から送信されるハンドオーバリクエストメッセージを、アンテナ１０８及び無線通信部１０６を介して受信する。
【００６４】
次に、ハンドオーバ回数取得部１５６は、受信したハンドオーバリクエストメッセージに含まれる、ＵＥ  Ｈｉｓｔｏｒｙ情報要素を抽出する。このＵＥ  Ｈｉｓｔｏｒｙ情報要素には、Ｌａｓｔ  Ｖｉｓｉｔｅｄ  Ｃｅｌｌ  Ｉｎｆｏｒｍａｔｉｏｎと称される、ハンドオーバリクエストメッセージの送信元の無線端末４０が過去に接続していたＬＴＥ基地局のＧｌｏｂａｌ−ＣＩＤを含んでいる。なお、無線端末４０が過去に同一のＬＴＥ基地局に複数回接続していた場合には、Ｈｉｓｔｏｒｙ情報要素には、同一のＧｌｏｂａｌ−ＣＩＤが接続回数に対応する数だけ含まれる。
【００６５】
また、ハンドオーバ回数取得部１５６は、他ＬＴＥ基地局がハンドオーバ元となり、ＬＴＥ基地局１０−１がハンドオーバ先となるハンドオーバ時に、当該ハンドオーバが１回発生したことを認識する。また、ハンドオーバ回数取得部１５６は、ＬＴＥ基地局１０−１がハンドオーバ元となり、他ＬＴＥ基地局がハンドオーバ先となるハンドオーバ時に、当該ハンドオーバが１回発生したことを認識する。
【００６６】
更に、ハンドオーバ回数取得部１５６は、隣接基地局優先順位テーブルを生成、更新する。図８は、隣接基地局優先順位テーブルの一例を示す図である。図８に示す隣接基地局優先順位テーブルは、他ＬＴＥ基地局毎にレコードが構成され、記憶部１０３に記憶されている。隣接基地局優先順位テーブルの情報はネイバーリストに含まれていてもよい。レコードは、対応する他ＬＴＥ基地局のＧｌｏｂａｌ−ＣＩＤ、ＩＰアドレス、ハンドオーバ先回数、ハンドオーバ元回数、ハンドオーバ履歴及びポイントにより構成される。
【００６７】
ＩＰアドレスは、対応する他ＬＴＥ基地局の識別情報としてのＩＰアドレスである。
【００６８】
ハンドオーバ先回数は、ＬＴＥ基地局１０−１がハンドオーバ元となり、対応する他ＬＴＥ基地局がハンドオーバ先となるハンドオーバの回数を示す。ハンドオーバ回数取得部１５６は、ＬＴＥ基地局１０−１がハンドオーバ元となり、対応する他ＬＴＥ基地局がハンドオーバ先となるハンドオーバが１回発生したことを認識する毎に、ハンドオーバ先回数を１増加させる。
【００６９】
ハンドオーバ元回数は、対応する他ＬＴＥ基地局がハンドオーバ元となり、ＬＴＥ基地局１０−１がハンドオーバ先となるハンドオーバの回数を示す。ハンドオーバ回数取得部１５６は、対応する他ＬＴＥ基地局がハンドオーバ元となり、ＬＴＥ基地局１０−１がハンドオーバ先となるハンドオーバが１回発生したことを認識する毎に、ハンドオーバ元回数を１増加させる。
【００７０】
ハンドオーバ履歴は、対応する他ＬＴＥ基地局が、過去に無線端末４０の接続先となった回数を示す。ハンドオーバ回数取得部１５６は、他ＬＴＥ基地局がハンドオーバ元となり、ＬＴＥ基地局１０−１がハンドオーバ先となるハンドオーバが発生する毎に、無線端末４０からのハンドオーバリクエストメッセージ内のＵＥ  Ｈｉｓｔｏｒｙ情報要素に含まれるＧｌｏｂａｌ−ＣＩＤのうち、対応する他ＬＴＥ基地局のＧｌｏｂａｌ−ＣＩＤの数だけ、ハンドオーバ履歴を増加させる。
【００７１】
ポイントは、ハンドオーバ先回数、ハンドオーバ元回数、ハンドオーバ履歴の合計値である。ハンドオーバ回数取得部１５６は、ハンドオーバ先回数、ハンドオーバ元回数、ハンドオーバ履歴が更新される毎に、ポイントも更新する。なお、ハンドオーバ回数取得部１５６は、ハンドオーバ先回数、ハンドオーバ元回数、ハンドオーバ履歴に対して、適宜、重み付けを行ってもよい。この場合、重み付け後のハンドオーバ先回数、ハンドオーバ元回数、ハンドオーバ履歴の合計値がポイントとなる。
【００７２】
再び、図３に戻って説明する。コネクション変更部１５８は、バックボーンネットワーク３０の負荷、及び、自ＬＴＥ基地局であるＬＴＥ基地局１０−１の負荷を検出する。バックボーンネットワーク３０の負荷は、例えば、バックボーンネットワーク３０を伝送されるデータ量で表される。コネクション変更部１５８は、バックボーンネットワーク３０から送信される、当該バックボーンネットワーク３０の負荷の情報を、Ｉ／Ｆ部１０４を介して受信する。また、ＬＴＥ基地局１０−１の負荷は、例えば、制御部１０２を構成するＣＰＵの使用率で表される。
【００７３】
更に、コネクション変更部１５８は、バックボーンネットワーク３０の負荷が所定値α１以上であるか否かを判定するとともに、ＬＴＥ基地局１０−１の負荷が所定値β１以上であるか否かを判定する。
【００７４】
バックボーンネットワーク３０の負荷が所定値α１以上、及び、ＬＴＥ基地局１０−１の負荷が所定値β１以上の何れかを満たす場合、コネクション変更部１５８は、ＬＴＥ基地局１０−１との間でＸ２コネクションを確立中の他ＬＴＥ基地局が存在するか否かを判定する。
【００７５】
具体的には、コネクション変更部１５８は、ネイバーリストにおいて、Ｘ２コネクション確立情報を参照する。更に、コネクション変更部１５８は、確立済みであることを示すＸ２コネクション確立情報が存在する場合、ＬＴＥ基地局１０−１との間でＸ２コネクションを確立中の他ＬＴＥ基地局が存在すると判定する。
【００７６】
ＬＴＥ基地局１０−１との間でＸ２コネクションを確立中の他ＬＴＥ基地局が存在する場合、コネクション変更部１５８は、隣接基地局優先順位テーブルに基づいて、ＬＴＥ基地局１０−１との間でＸ２コネクションを確立中の他ＬＴＥ基地局のうち、優先順位が最下位の他ＬＴＥ基地局を特定する。
【００７７】
具体的には、コネクション変更部１５８は、ネイバーリストにおいて、確立済みであることを示すＸ２コネクション確立情報に対応するＧｌｏｂａｌ−ＣＩＤを特定する。次に、コネクション変更部１５８は、隣接基地局優先順位テーブル内の各レコードのうち、特定したＧｌｏｂａｌ−ＣＩＤを含むレコードを抽出する。更に、コネクション変更部１５８は、抽出した各レコード内のポイントを比較し、最も小さいポイントを含むレコードを特定する。ここで、特定されるレコードは、ＬＴＥ基地局１０−１との間でＸ２コネクションを確立中の他ＬＴＥ基地局のうち、優先順位が最下位の他ＬＴＥ基地局に対応するレコードである。
【００７８】
更に、コネクション変更部１５８は、優先順位が最下位の他ＬＴＥ基地局に対応するレコード内のＧｌｏｂａｌ−ＣＩＤを宛先とする、Ｘ２コネクションの解放要求である、ＳＣＴＰ解放要求メッセージを生成する。更に、コネクション変更部１５８は、ＳＣＴＰ解放要求メッセージを、Ｉ／Ｆ部１０４及びバックボーンネットワーク３０を介して、他ＬＴＥ基地局へ送信する。
【００７９】
その後は、ＬＴＥ基地局１０−１と、ＳＣＴＰ解放要求メッセージを受信した他ＬＴＥ基地局との間で、Ｘ２コネクションが解放される。
【００８０】
更に、コネクション変更部１５８は、ネイバーリストにおける、ＳＣＴＰ解放要求メッセージの送信先である他ＬＴＥ基地局のＧｌｏｂａｌ−ＣＩＤに対応するＸ２コネクション確立情報を、確立済みから未確立に更新する。
【００８１】
このようにして、バックボーンネットワーク３０の負荷が所定値α１以上、及び、ＬＴＥ基地局１０−１の負荷が所定値β１以上の何れかの場合には、ＬＴＥ基地局１０−１との間でＸ２コネクションを確立中の他ＬＴＥ基地局のうち、優先順位が最下位の他ＬＴＥ基地局におけるＸ２コネクションが解放される。
【００８２】
図９は、ＬＴＥ基地局１０−１との間でＸ２コネクションを確立中のＬＴＥ基地局１０−２及び１０−３のうち、優先順位が最下位のＬＴＥ基地局１０−３におけるＸ２コネクションが解放された場合を示す図である。
【００８３】
再び、図３に戻って説明する。上述したＸ２コネクションの解放後、コネクション変更部１５８は、再度、バックボーンネットワーク３０の負荷、及び、自ＬＴＥ基地局であるＬＴＥ基地局１０−１の負荷を検出する。更に、コネクション変更部１５８は、バックボーンネットワーク３０の負荷が所定値α２（但し、α２≦α１）以下であるか否かを判定するとともに、ＬＴＥ基地局１０−１の負荷が所定値β２（但し、β２≦β１）以下であるか否かを判定する。
【００８４】
バックボーンネットワーク３０の負荷が所定値α２以下、及び、ＬＴＥ基地局１０−１の負荷が所定値β２以下の何れかを満たす場合、コネクション変更部１５８は、ＬＴＥ基地局１０−１との間でＸ２コネクションを未確立である他ＬＴＥ基地局が存在するか否かを判定する。
【００８５】
具体的には、コネクション変更部１５８は、ネイバーリストにおいて、Ｘ２コネクション確立情報を参照する。更に、コネクション変更部１５８は、未確立であることを示すＸ２コネクション確立情報が存在する場合、ＬＴＥ基地局１０−１との間でＸ２コネクションを未確立である他ＬＴＥ基地局が存在すると判定する。
【００８６】
ＬＴＥ基地局１０−１との間でＸ２コネクションを未確立である他ＬＴＥ基地局が存在する場合、コネクション変更部１５８は、隣接基地局優先順位テーブルに基づいて、ＬＴＥ基地局１０−１との間でＸ２コネクションを未確立である他ＬＴＥ基地局のうち、優先順位が最上位の他ＬＴＥ基地局を特定する。
【００８７】
具体的には、コネクション変更部１５８は、ネイバーリストにおいて、未確立であることを示すＸ２コネクション確立情報に対応するＧｌｏｂａｌ−ＣＩＤを特定する。次に、コネクション変更部１５８は、隣接基地局優先順位テーブル内の各レコードのうち、特定したＧｌｏｂａｌ−ＣＩＤを含むレコードを抽出する。更に、コネクション変更部１５８は、抽出した各レコード内のポイントを比較し、最も大きいポイントを含むレコードを特定する。ここで、特定されるレコードは、ＬＴＥ基地局１０−１との間でＸ２コネクションを未確立である他ＬＴＥ基地局のうち、優先順位が最上位の他ＬＴＥ基地局に対応するレコードである。
【００８８】
更に、コネクション変更部１５８は、優先順位が最上位の他ＬＴＥ基地局に対応するレコード内のＧｌｏｂａｌ−ＣＩＤを宛先とする、Ｘ２コネクションの確立要求を示す、ＳＣＴＰ接続要求メッセージを生成する。更に、コネクション変更部１５８は、ＳＣＴＰ接続要求メッセージを、Ｉ／Ｆ部１０４及びバックボーンネットワーク３０を介して、他ＬＴＥ基地局へ送信する。
【００８９】
その後は、ＬＴＥ基地局１０−１と、ＳＣＴＰ接続要求メッセージを受信した他ＬＴＥ基地局との間で、Ｘ２コネクションが再確立される。
【００９０】
更に、コネクション変更部１５８は、ネイバーリストにおける、ＳＣＴＰ接続要求メッセージの送信先である他ＬＴＥ基地局のＧｌｏｂａｌ−ＣＩＤに対応するＸ２コネクション確立情報を、未確立から確立済みに更新する。
【００９１】
このようにして、バックボーンネットワーク３０の負荷が所定値α２以下、及び、ＬＴＥ基地局１０−１の負荷が所定値β２以下の何れかの場合には、ＬＴＥ基地局１０−１との間でＸ２コネクションを未確立である他ＬＴＥ基地局のうち、優先順位が最上位の他ＬＴＥ基地局におけるＸ２コネクションが再確立される。
【００９２】
（３）ＬＴＥ基地局の動作
次に、ＬＴＥ基地局１０−１の動作を説明する。なお、ＬＴＥ基地局１０−２及び１０−３も、ＬＴＥ基地局１０−１と同様の動作を行う。
【００９３】
図１０は、ＬＴＥ基地局１０−１による、Ｘ２コネクション確立制御の動作を示すフローチャートである。
【００９４】
ステップＳ１０１において、制御部１０２内のハンドオーバ契機検出部１５２は、ＬＴＥ基地局１０−１と無線通信を行っている無線端末４０からのメジャメントレポートを受信する。
【００９５】
ステップＳ１０２において、制御部１０２内のハンドオーバ契機検出部１５２は、メジャメントレポートに基づいて、当該メジャメントレポートの送信元の無線端末４０がハンドオーバの契機に至ったか否かを判定する。
【００９６】
無線端末４０がハンドオーバの契機に至ったとき（ＬＴＥ基地局１０−１がハンドオーバを実行するとき）、ステップＳ１０３において、制御部１０２は、無線端末４０に対して、ＲＲＣ  Ｃｏｎｎｅｃｔｉｏｎ  Ｒｅｃｏｎｆｉｇｕｒａｔｉｏｎ  Ｍｅｓｓａｇｅを送信する。
【００９７】
ステップＳ１０４において、制御部１０２内のコネクション確立処理実行部１５４は、ネイバーリストに基づいて、ＬＴＥ基地局１０−１から他ＬＴＥ基地局へのハンドオーバの際に、Ｘ２ハンドオーバが可能であるか否かを判定する。
【００９８】
Ｘ２ハンドオーバが不可能であると判定された場合、ステップＳ１０５において、コネクション確立処理実行部１５４は、ネイバーリストに、ハンドオーバ先の他ＬＴＥ基地局のＧｌｏｂａｌ−ＣＩＤを追加するとともに、対応するＸ２コネクション確立情報を未確立とする。
【００９９】
更に、ステップＳ１０６において、制御部１０２は、Ｓ１コネクションを介してデータフォワーディングを実行するＳ１ハンドオーバを行う。
【０１００】
一方、ステップＳ１０４においてＸ２ハンドオーバが可能であると判定された場合、ステップＳ１０７において、制御部１０２は、Ｘ２コネクションを介してデータフォワーディングを実行するＸ２ハンドオーバを行う。
【０１０１】
ステップＳ１０６におけるＳ１ハンドオーバの後、あるいは、ステップＳ１０７におけるＸ２ハンドオーバの後、ステップＳ１０８において、コネクション確立処理実行部１５４は、ネイバーリストに、ＬＴＥ基地局１０−１との間でＸ２コネクションが確立されていない他ＬＴＥ基地局が存在するか否かを判定する。
【０１０２】
ＬＴＥ基地局１０−１との間でＸ２コネクションが確立されていない他ＬＴＥ基地局が存在しない場合には、一連の動作が終了する。
【０１０３】
一方、ＬＴＥ基地局１０−１との間でＸ２コネクションが確立されていない他ＬＴＥ基地局が存在する場合には、コネクション確立処理実行部１５４は、Ｘ２コネクションの確立要求を示す、ＳＣＴＰ接続要求メッセージを生成し、ＬＴＥ基地局１０−１との間でＸ２コネクションが確立されていない他ＬＴＥ基地局へ前記ＳＣＴＰ接続要求メッセージを送信する。
【０１０４】
ステップＳ１１０において、コネクション確立処理実行部１５４は、ネイバーリストにおける、ＳＣＴＰ接続要求メッセージの送信先である他ＬＴＥ基地局のＧｌｏｂａｌ−ＣＩＤに対応するＸ２コネクション確立情報を、未確立から確立済みに更新する。
【０１０５】
図１０に示すＸ２コネクション確立制御の動作の後、ハンドオーバ回数の取得の動作が行われる。図１１は、ＬＴＥ基地局１０−１による、ハンドオーバ回数の取得の動作を示すフローチャートである。
【０１０６】
ステップＳ２０１において、制御部１０２内のハンドオーバ回数取得部１５６は、自ＬＴＥ基地局であるＬＴＥ基地局１０−１がハンドオーバ元となり、他ＬＴＥ基地局がハンドオーバ先となるハンドオーバが発生したか否かを判定する。ＬＴＥ基地局１０−１がハンドオーバ元となり、他ＬＴＥ基地局がハンドオーバ先となるハンドオーバが発生した場合、ステップＳ２０２において、ハンドオーバ回数取得部１５６は、隣接基地局優先順位テーブルにおける、ハンドオーバ先の他ＬＴＥ基地局に対応するレコード内のハンドオーバ元回数を１増加させるとともに、ポイントを更新する。
【０１０７】
ステップＳ２０３において、ハンドオーバ回数取得部１５６は、他ＬＴＥ基地局がハンドオーバ元となり、自ＬＴＥ基地局であるＬＴＥ基地局１０−１がハンドオーバ先となるハンドオーバが発生したか否かを判定する。他ＬＴＥ基地局がハンドオーバ元となり、ＬＴＥ基地局１０−１がハンドオーバ先となるハンドオーバが発生した場合、ステップＳ２０４において、ハンドオーバ回数取得部１５６は、隣接基地局優先順位テーブルにおける、ハンドオーバ元の他ＬＴＥ基地局に対応するレコード内のハンドオーバ先回数を１増加させるとともに、ポイントを更新する。
【０１０８】
ステップＳ２０５において、ハンドオーバ回数取得部１５６は、他ＬＴＥ基地局がハンドオーバ元となり、ＬＴＥ基地局１０−１がハンドオーバ先となるハンドオーバ時に、無線端末４０から送信されるハンドオーバリクエストメッセージを受信したか否かを判定する。ハンドオーバリクエストメッセージを受信した場合、ステップＳ２０６において、ハンドオーバ回数取得部１５６は、ハンドオーバリクエストメッセージに含まれるＧｌｏｂａｌ−ＣＩＤのうち、ハンドオーバ元の他ＬＴＥ基地局のＧｌｏｂａｌ−ＣＩＤの数だけ、ハンドオーバ履歴を増加させるとともに、ポイントを更新する。
【０１０９】
図１１に示すハンドオーバ回数の取得の動作と並行して、Ｘ２コネクション解放制御の動作が行われる。図１２は、ＬＴＥ基地局１０−１によるＸ２コネクション解放制御の動作を示すフローチャートである。
【０１１０】
ステップＳ３０１において、制御部１０２内のコネクション変更部１５８は、バックボーンネットワーク３０の負荷が所定値α１以上、及び、ＬＴＥ基地局１０−１の負荷が所定値β１以上の何れかを満たすか否かを判定する。
【０１１１】
バックボーンネットワーク３０の負荷が所定値α１以上、及び、ＬＴＥ基地局１０−１の負荷が所定値β１以上の何れかを満たす場合、ステップＳ３０２において、コネクション変更部１５８は、ＬＴＥ基地局１０−１との間でＸ２コネクションを確立中の他ＬＴＥ基地局が存在するか否かを判定する。
【０１１２】
ＬＴＥ基地局１０−１との間でＸ２コネクションを確立中の他ＬＴＥ基地局が存在する場合、ステップＳ３０３において、コネクション変更部１５８は、隣接基地局優先順位テーブルに基づいて、ＬＴＥ基地局１０−１との間でＸ２コネクションを確立中の他ＬＴＥ基地局のうち、優先順位が最下位、換言すれば、ポイントが最小の他ＬＴＥ基地局を特定する。更に、コネクション変更部１５８は、優先順位が最下位の他ＬＴＥ基地局へＳＣＴＰ解放要求メッセージを送信する。
【０１１３】
ステップＳ３０４において、コネクション変更部１５８は、ネイバーリストにおける、ＳＣＴＰ解放要求メッセージの送信先である他ＬＴＥ基地局のＧｌｏｂａｌ−ＣＩＤに対応するＸ２コネクション確立情報を、確立済みから未確立に更新する。
【０１１４】
図１２に示すＸ２コネクション解放制御の動作の後、図１１に示すハンドオーバ回数の取得の動作と並行して、Ｘ２コネクション再確立制御の動作が行われる。図１３は、ＬＴＥ基地局１０−１によるＸ２コネクション再確立制御の動作を示すフローチャートである。
【０１１５】
ステップＳ４０１において、制御部１０２内のコネクション変更部１５８は、バックボーンネットワーク３０の負荷が所定値α２以下、及び、ＬＴＥ基地局１０−１の負荷が所定値β２以下の何れかを満たすか否かを判定する。
【０１１６】
バックボーンネットワーク３０の負荷が所定値α２以下、及び、ＬＴＥ基地局１０−１の負荷が所定値β２以下の何れかを満たす場合、ステップＳ４０２において、コネクション変更部１５８は、ＬＴＥ基地局１０−１との間でＸ２コネクションを未確立である他ＬＴＥ基地局が存在するか否かを判定する。
【０１１７】
ＬＴＥ基地局１０−１との間でＸ２コネクションを未確立である他ＬＴＥ基地局が存在する場合、ステップＳ４０３において、コネクション変更部１５８は、隣接基地局優先順位テーブルに基づいて、ＬＴＥ基地局１０−１との間でＸ２コネクションを未確立である他ＬＴＥ基地局のうち、優先順位が最上位、換言すれば、ポイントが最大の他ＬＴＥ基地局を特定する。更に、コネクション変更部１５８は、優先順位が最上位の他ＬＴＥ基地局へＳＣＴＰ接続要求メッセージを送信する。
【０１１８】
ステップＳ４０４において、コネクション変更部１５８は、ネイバーリストにおける、ＳＣＴＰ接続要求メッセージの送信先である他ＬＴＥ基地局のＧｌｏｂａｌ−ＣＩＤに対応するＸ２コネクション確立情報を、未確立から確立済みに更新する。
【０１１９】
（４）作用・効果
このように、本発明の実施形態に係る無線通信システム１では、ＬＴＥ基地局１０−１は、無線端末４０がハンドオーバ元をＬＴＥ基地局１０−１とし、ハンドオーバ先を他ＬＴＥ基地局とするハンドオーバの契機に至った場合に、ハンドオーバ先の他ＬＴＥ基地局に対して、Ｘ２コネクションの確立要求であるＳＣＴＰ接続要求メッセージを送信する。したがって、ハンドオーバの実績を考慮したＸ２コネクションの確立が可能となり、他ＬＴＥ基地局との間で無駄なＸ２コネクションが確立されてしまうことが防止される。
【０１２０】
また、ハンドオーバの実績を考慮したＸ２コネクションの確立が行われるため、最適なＸ２コネクションを確立させるべく、保守者が随時作業を行うことが不要である。
【０１２１】
また、本発明の実施形態に係る無線通信システム１では、ＬＴＥ基地局１０−１は、他ＬＴＥ基地局が関わるハンドオーバの回数、具体的には、隣接基地局優先順位テーブルに含まれる、自ＬＴＥ基地局であるＬＴＥ基地局１０−１がハンドオーバ元となり、他ＬＴＥ基地局がハンドオーバ先となるハンドオーバの回数、他ＬＴＥ基地局がハンドオーバ元となり、自ＬＴＥ基地局であるＬＴＥ基地局１０−１がハンドオーバ先となるハンドオーバの回数、他ＬＴＥ基地局が過去に無線端末４０の接続先となった回数を取得する。
【０１２２】
更に、ＬＴＥ基地局１０−１は、バックボーンネットワーク３０の負荷が所定値α１以上、及び、ＬＴＥ基地局１０−１の負荷が所定値β１以上の何れかを満たす場合、ＬＴＥ基地局１０−１との間でＸ２コネクションを確立中の他ＬＴＥ基地局のうち、隣接基地局優先順位テーブルにおけるポイントによって定められる優先順位が最下位の他ＬＴＥ基地局に対して、ＳＣＴＰ解放要求メッセージを送信し、当該他ＬＴＥ基地局との間のＸ２コネクションの解放制御を行う。
【０１２３】
更に、ＬＴＥ基地局１０−１は、バックボーンネットワーク３０の負荷が所定値α２以下、及び、ＬＴＥ基地局１０−１の負荷が所定値β２以下の何れかを満たす場合、ＬＴＥ基地局１０−１との間でＸ２コネクションを未確立である他ＬＴＥ基地局のうち、隣接基地局優先順位テーブルにおけるポイントによって定められる優先順位が最上位の他ＬＴＥ基地局に対して、ＳＣＴＰ接続要求メッセージを送信し、当該他ＬＴＥ基地局との間のＸ２コネクションの再確立制御を行う。
【０１２４】
したがって、ＬＴＥ基地局１０−１は、バックボーンネットワーク３０の負荷や自ＬＴＥ基地局の負荷が大きく、Ｘ２コネクションを解放する必要がある場合には、関係するハンドオーバ回数が少ない他ＬＴＥ基地局との間の第２コネクションを解放し、バックボーンネットワーク３０の負荷や自ＬＴＥ基地局の負荷が小さく、Ｘ２コネクションを再確立することが可能な場合には、関係するハンドオーバ回数が多い他ＬＴＥ基地局との間の第２コネクションを再確立することができ、ハンドオーバの実績と、バックボーンネットワーク３０やＬＴＥ基地局１０−１の負荷を考慮した適切なＸ２コネクションを確立することが可能となる。
【０１２５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２６】
上述した実施形態では、ハンドオーバ元であるＬＴＥ基地局１０−１が、無線端末４０のハンドオーバの契機を検出し、ハンドオーバ先の他ＬＴＥ基地局に対して、Ｘ２コネクションの確立要求であるＳＣＴＰ接続要求メッセージを送信した。しかし、ハンドオーバ先の他ＬＴＥ基地局が、無線端末４０のハンドオーバの契機を検出し、ハンドオーバ元のＬＴＥ基地局１０−１に対して、Ｘ２コネクションの確立要求であるＳＣＴＰ接続要求メッセージを送信するようにしてもよい。
【０１２７】
また、ＬＴＥ基地局１０−１内の制御部１０２は、ＬＴＥ基地局１０−１と他ＬＴＥ基地局との間でＸ２コネクションが確立された後、所定時間が経過しても、ＬＴＥ基地局１０−１と他ＬＴＥ基地局との間でハンドオーバが発生しなかった場合には、ＬＴＥ基地局１０−１と他ＬＴＥ基地局との間でＸ２コネクションを解放する処理を行うようにしてもよい。この場合、制御部１０２は、Ｘ２コネクションの解放後に、ネイバーリストにおける、他ＬＴＥ基地局のＧｌｏｂａｌ−ＣＩＤに対応するＸ２コネクション確立情報を、確立済みから未確立に更新する。あるいは、制御部１０２は、Ｘ２コネクションの解放後に、ネイバーリストにおける、他ＬＴＥ基地局のＧｌｏｂａｌ−ＣＩＤとＸ２コネクション確立情報を削除する。
【０１２８】
また、メジャメントレポートには、Ｐｈｙ−ＣＩＤと電波強度とに加えて、対応するＬＴＥ基地局のＣＰＵの負荷状況や無線チャネルの負荷状況が含まれていてもよい。この場合、制御部１０２は、電波強度のみならず、ＬＴＥ基地局のＣＰＵの負荷状況や無線チャネルの負荷状況を考慮して、ハンドオーバ先のＬＴＥ基地局を特定することができる。
【０１２９】
この場合には、ＬＴＥ基地局のＣＰＵの負荷状況や無線チャネルの負荷状況を考慮したＸ２コネクションの確立が可能となる。
【０１３０】
上述した実施形態では、ＬＴＥ基地局１０−１は、優先順位が最下位の他ＬＴＥ基地局に対して、ＳＣＴＰ解放要求メッセージを送信し、当該他ＬＴＥ基地局との間のＸ２コネクションの解放制御を行い、優先順位が最上位の他ＬＴＥ基地局に対して、ＳＣＴＰ接続要求メッセージを送信し、当該他ＬＴＥ基地局との間のＸ２コネクションの再確立制御を行った。
【０１３１】
しかし、ＬＴＥ基地局１０−１は、優先順位が下位の所定数の他ＬＴＥ基地局に対して、ＳＣＴＰ解放要求メッセージを送信し、当該他ＬＴＥ基地局との間のＸ２コネクションの解放制御を行ってもよく、優先順位が上位の所定数の他ＬＴＥ基地局に対して、ＳＣＴＰ接続要求メッセージを送信し、当該他ＬＴＥ基地局との間のＸ２コネクションの再確立制御を行ってもよい。
【０１３２】
また、上述した実施形態では、ＬＴＥ基地局１０−１は、バックボーンネットワーク３０の負荷や自ＬＴＥ基地局の負荷が大きい場合には、Ｘ２コネクションを解放する制御を行い、バックボーンネットワーク３０の負荷や自ＬＴＥ基地局の負荷が小さい場合には、Ｘ２コネクションを再確立する制御を行った。
【０１３３】
このようなＸ２コネクションの確立制御に加えて、更に、ＬＴＥ基地局１０−１は、他ＬＴＥ基地局の負荷が大きい場合には、当該他ＬＴＥ基地局との間のＸ２コネクションの解放制御を行い、他ＬＴＥ基地局の負荷が小さい場合には、当該他ＬＴＥ基地局との間のＸ２コネクションの再確立制御を行うようにしてもよい。
【０１３４】
この場合、制御部１０２内のコネクション変更部１５８は、他ＬＴＥ基地局から送信される、当該他ＬＴＥ基地局の負荷の情報を、バックボーンネットワーク３０及びＩ／Ｆ部１０４を介して受信する。他ＬＴＥ基地局の負荷は、例えば、制御部１０２を構成するＣＰＵの使用率で表される。
【０１３５】
更に、コネクション変更部１５８は、他ＬＴＥ基地局の負荷が所定値γ１以上であり、当該他ＬＴＥ基地局との間でＸ２コネクションを確立中である場合には、当該他ＬＴＥ基地局に対して、ＳＣＴＰ解放要求メッセージを送信し、Ｘ２コネクションの解放制御を行う。
【０１３６】
また、コネクション変更部１５８は、他ＬＴＥ基地局の負荷が所定値γ２（但し、γ２≦γ１）以下であり、当該他ＬＴＥ基地局との間でＸ２コネクションを未確立である場合には、当該他ＬＴＥ基地局に対して、ＳＣＴＰ接続要求メッセージを送信し、Ｘ２コネクションの再確立制御を行う。
【０１３７】
また、上述した実施形態では、ＬＴＥの無線通信システム１について説明したが、無線基地局間に論理的な伝送路が確立される無線通信システムであれば、同様に本発明を適用することができる。
【０１３８】
このように本発明は、ここでは記載していない様々な実施形態等を包含するということを理解すべきである。したがって、本発明はこの開示から妥当な特許請求の範囲の発明特定事項によってのみ限定されるものである。
【０１３９】
なお、日本国特許出願第２００９−１０７０９１号（２００９年４月２４日出願）及び日本国特許出願第２００９−１０７０９４号（２００９年４月２４日出願）の全内容が、参照により、本願明細書に組み込まれている。
【産業上の利用可能性】
【０１４０】
本発明の無線基地局、及び、コネクション確立制御方法は、他の無線基地局との間で適切なコネクションを確立することが可能であり、無線基地局、及び、コネクション確立制御方法として有用である。
【図１】
2010123121.tif 000003
【図２】
2010123121.tif 000004
【図３】
2010123121.tif 000005
【図４】
2010123121.tif 000006
【図５】
2010123121.tif 000007
【図６】
2010123121.tif 000008
【図７】
2010123121.tif 000009
【図８】
2010123121.tif 000010
【図９】
2010123121.tif 000011
【図１０】
2010123121.tif 000012
【図１１】
2010123121.tif 000013
【図１２】
2010123121.tif 000014
【図１３】
2010123121.tif 000015
【国際調査報告】
2010123121.tif 000016
2010123121.tif 000017
2010123121.tif 000018
2010123121.tif 000019